(57)【要約】【課題】マッサージ器を使用する場所の移動が容易であり、取り扱い性が良好なマッサージユニット及びマッサージ器用電力供給ユニットを提供する。【解決手段】マッサージ器２と、マッサージ器２に電力を供給するためのバッテリ６と、マッサージ器２とバッテリ６とを連結するための連結手段７とを含むマッサージユニット１である。連結手段７は、マッサージ器２に着脱自在に取り付けられている。【選択図】図１
0003212066.tif 000002
【実用新案登録請求の範囲】
【請求項１】
マッサージ器と、前記マッサージ器に電力を供給するためのバッテリと、前記マッサージ器と前記バッテリとを連結するための連結手段とを含み、
前記連結手段は、前記マッサージ器に着脱自在に取り付けられるマッサージユニット。
【請求項２】
前記バッテリは、バッテリカバーに固定され、
前記連結手段は、前記バッテリカバーに固着された帯状のベルト部を含む請求項１に記載のマッサージユニット。
【請求項３】
前記連結手段は、前記マッサージ器を取り付けるための取付部を含み、
前記取付部は、前記ベルト部の前記バッテリとは反対側の端部に設けられる請求項２に記載のマッサージユニット。
【請求項４】
前記連結手段は、前記マッサージ器を取り付けるための取付部を含む請求項１又は２に記載のマッサージユニット。
【請求項５】
前記取付部は、前記マッサージ器にループ状に巻き回される請求項３又は４に記載のマッサージユニット。
【請求項６】
前記連結手段は、第１端が前記バッテリに接続され、かつ、第２端が露出する電気ケーブルを含み、
前記マッサージ器は、前記電気ケーブルの前記第２端を差し込むための接続口を備える請求項１〜５のいずれかに記載のマッサージユニット。
【請求項７】
前記連結手段は、滑り止め部を有する請求項１〜６のいずれかに記載のマッサージユニット。
【請求項８】
前記バッテリの重さは、前記マッサージ器の重さよりも小さい請求項１〜７のいずれかに記載のマッサージユニット。
【請求項９】
前記マッサージ器は、複数の揉み玉を有するマッサージ本体と、前記マッサージ本体を収容するクッションとを含む請求項１〜８のいずれかに記載のマッサージユニット。
【請求項１０】
マッサージ器に電力を供給するためのバッテリと、前記マッサージ器と前記バッテリとを連結するための連結手段とを含み
前記連結手段は、前記マッサージ器を取り付けるための取付部を含むマッサージ器用電力供給ユニット。
【考案の詳細な説明】
【技術分野】
【０００１】
本考案は、マッサージ器に電力を供給するためのバッテリを含むマッサージユニット及びマッサージ器用電力供給ユニットに関する。
【背景技術】
【０００２】
従来、複数の揉み玉を有するクッション型のマッサージ器が知られている。例えば、下記特許文献１には、マッサージ器を椅子の背もたれ部に取り付けて使用することが提案されている。
【先行技術文献】
【特許文献】
【０００３】
【特許文献１】特開２０１３−１０２８６５号公報
【考案の概要】
【考案が解決しようとする課題】
【０００４】
しかしながら、特許文献１のマッサージ器は、家庭用コンセント等から電源コードを介して電源供給を受けていることから、マッサージ器を使用する場所の移動が煩雑であった。また、特許文献１のマッサージ器では、充電式のバッテリを内蔵することも示唆されているが、バッテリを内蔵したマッサージ器は、マッサージ器自体が大型化してしまい、マッサージ器の取り扱いが困難になるという問題があった。
【０００５】
本考案は、以上のような実状に鑑み案出されたもので、マッサージ器を使用する場所の移動が容易であり、取り扱い性が良好なマッサージユニット及びマッサージ器用電力供給ユニットを提供することを主たる目的としている。
【課題を解決するための手段】
【０００６】
本考案は、マッサージ器と、前記マッサージ器に電力を供給するためのバッテリと、前記マッサージ器と前記バッテリとを連結するための連結手段とを含み、前記連結手段は、前記マッサージ器に着脱自在に取り付けられるマッサージユニット
である。
【０００７】
本考案に係るマッサージユニットにおいて、前記バッテリは、バッテリカバーに固定され、前記連結手段は、前記バッテリカバーに固着された帯状のベルト部を含むのが望ましい。
【０００８】
本考案に係るマッサージユニットにおいて、前記連結手段は、前記マッサージ器を取り付けるための取付部を含み、前記取付部は、前記ベルト部の前記バッテリとは反対側の端部に設けられるのが望ましい。
【０００９】
本考案に係るマッサージユニットにおいて、前記連結手段は、前記マッサージ器を取り付けるための取付部を含むのが望ましい。
【００１０】
本考案に係るマッサージユニットにおいて、前記取付部は、前記マッサージ器にループ状に巻き回されるのが望ましい。
【００１１】
本考案に係るマッサージユニットにおいて、前記連結手段は、第１端が前記バッテリに接続され、かつ、第２端が露出する電気ケーブルを含み、前記マッサージ器は、前記電気ケーブルの前記第２端を差し込むための接続口を備えるのが望ましい。
【００１２】
本考案に係るマッサージユニットにおいて、前記連結手段は、滑り止め部を有するのが望ましい。
【００１３】
本考案に係るマッサージユニットにおいて、前記バッテリの重さは、前記マッサージ器の重さよりも小さいのが望ましい。
【００１４】
本考案に係るマッサージユニットにおいて、前記マッサージ器は、複数の揉み玉を有するマッサージ本体と、前記マッサージ本体を収容するクッションとを含むのが望ましい。
【００１５】
本考案は、マッサージ器に電力を供給するためのバッテリと、前記マッサージ器と前記バッテリとを連結するための連結手段とを含み前記連結手段は、前記マッサージ器を取り付けるための取付部を含むマッサージ器用電力供給ユニットである。
【考案の効果】
【００１６】
本考案のマッサージユニットは、マッサージ器と、前記マッサージ器に電力を供給するためのバッテリと、前記マッサージ器と前記バッテリとを連結するための連結手段とを含んでいる。このようなマッサージユニットは、マッサージ器が家庭用コンセント等に接続される電源コードを必要としないので、マッサージ器を使用する場所の移動が容易である。また、このマッサージユニットは、マッサージ器とバッテリとが別体であるので、マッサージ器自体の大型化が抑制され、マッサージ器の取り扱い性が良好である。
【００１７】
本考案のマッサージユニットにおいて、連結手段は、マッサージ器に着脱自在に取り付けられる。このため、マッサージ器とバッテリとの組み合わせは、任意に変更可能である。このようなマッサージユニットは、既存のマッサージ器に連結手段を連結して、当該マッサージ器の使用する場所を任意に移動させることができる。また、本考案のマッサージユニットは、バッテリを、他のバッテリに変更することで、マッサージ器の長時間の使用を許容することもできる。
【００１８】
本考案のマッサージ器用電力供給ユニットは、マッサージ器に電力を供給するためのバッテリと、前記マッサージ器と前記バッテリとを連結するための連結手段とを含んでいる。このようなマッサージ器用電力供給ユニットは、既存のマッサージ器に連結手段を連結して電力を供給することができ、マッサージ器を使用する場所の移動が容易である。
【００１９】
本考案のマッサージ器用電力供給ユニットにおいて、連結手段は、マッサージ器を取り付けるための取付部を含んでいる。このような取付部は、連結手段とマッサージ器との着脱を容易に行うことができる。このため、本考案のマッサージ器用電力供給ユニットは、既存のマッサージ器の中の任意のものに容易に連結することができる。
【図面の簡単な説明】
【００２０】
【図１】本実施形態のマッサージユニットを示す斜視図である。
【図２】マッサージユニットの背面図である。
【図３】マッサージユニットの側面図である。
【図４】図１のマッサージ器用電力供給ユニットの斜視図である。
【図５】他の実施形態のマッサージユニットを示す斜視図である。
【図６】さらに他の実施形態のマッサージユニットを示す斜視図である。
【図７】図６のマッサージ器用電力供給ユニットの斜視図である。
【考案を実施するための形態】
【００２１】
以下、本考案の実施の一形態が図面に基づき説明される。
図１は、本実施形態のマッサージユニット１を示す斜視図である。図１に示されるように、マッサージユニット１は、例えば、椅子Ｃの背もたれ部Ｃ１に取り付けられて使用される。本実施形態のマッサージユニット１は、マッサージ器２と、マッサージ器用電力供給ユニット３とを含んでいる。このようなマッサージユニット１は、マッサージ器２が家庭用コンセント等に接続される電源コードを必要としないので、マッサージ器２を使用する場所の移動が容易である。マッサージ器２は、既存のマッサージ器２の中から任意のものが適宜採用され得る。
【００２２】
マッサージ器２は、例えば、マッサージ本体４と、マッサージ本体４を収容するクッション５とを含んでいる。本実施形態のマッサージ本体４は、複数の揉み玉４ａと、揉み玉４ａを駆動する駆動部４ｂとを有している。マッサージ本体４は、駆動部４ｂが揉み玉４ａを公転させることにより、使用者に対し、少なくとも揉みマッサージを施すのが望ましい。
【００２３】
本実施形態の揉み玉４ａは、４つであり、その形状は半球状である。揉み玉４ａの数及び形状は、このような態様に限定されるものではなく、揉み玉４ａとして、任意の数が選択され、その形状として、周知の種々の形状が採用され得る。
【００２４】
図２は、マッサージユニット１の背面図であり、図３は、マッサージユニット１の側面図である。図１〜図３に示されるように、クッション５は、例えば、略矩形状のクッション本体５Ａと、クッション本体５Ａを覆うクッションカバー５Ｂとを含んでいる。クッション５の形状は、図示の態様に限定されるものではなく、周知の種々の形状が採用され得る。なお、図１では、クッションカバー５Ｂの記載が省略されている。
【００２５】
マッサージ器２は、電力を供給されるための接続口２ａを備えるのが望ましい。接続口２ａには、例えば、後述するマッサージ器用電力供給ユニット３の電気ケーブル１４の第２端１４ｂ又は外部電源（図示省略）に接続される電源コード（図示省略）が差し込まれる。このようなマッサージ器２は、マッサージ器用電力供給ユニット３又は外部電源から、電力が供給され得る。なお、図２及び図３では、接続口２ａ及び電気ケーブル１４の第２端１４ｂの記載が省略されている。
【００２６】
本実施形態のマッサージ器用電力供給ユニット３は、マッサージ器２に電力を供給するためのバッテリ６と、マッサージ器２とバッテリ６とを連結するための連結手段７とを含んでいる。このようなマッサージ器用電力供給ユニット３は、マッサージ器２とバッテリ６とが別体であるので、マッサージ器２自体の大型化が抑制され、マッサージ器２の取り扱い性が良好である。また、このマッサージ器用電力供給ユニット３は、既存のマッサージ器２に連結して電力を供給することができ、マッサージ器２を使用する場所の移動が容易である。
【００２７】
図４は、図１のマッサージ器用電力供給ユニット３の斜視図である。図４に示されるように、本実施形態のバッテリ６は、連結手段７の一方の端部７ａに連結されている。バッテリ６は、バッテリカバー８に固定されるのが望ましい。バッテリカバー８は、例えば、少なくともその外側部分が、シリコンゴムのような樹脂により形成されている。このようなバッテリカバー８は、バッテリ６を適切に保護することができる。
【００２８】
バッテリ６は、例えば、リチウムイオン電池である。このようなバッテリ６は、小型で大きい電気容量を確保することができるので、外形を小さくすることができる。バッテリ６の重さは、マッサージ器２（図１に示す）の重さよりも小さいのが望ましい。バッテリ６の重さは、好ましくは、マッサージ器２の重さを１００％とした場合に、９０％以下の重さである。このようなバッテリ６は、移動が容易であり、その取り扱い性を向上させ得る。
【００２９】
バッテリ６は、家庭用コンセント等の外部電源（図示省略）より充電可能であるのが望ましい。バッテリ６は、例えば、バッテリ６の差込口６ａに、外部電源に接続された電源コード（図示省略）を差し込むことで、充電される。
【００３０】
図２に示されるように、本実施形態のバッテリ６は、制御部９を有している。制御部９は、例えば、バッテリ６の充放電状態を表示する表示部９ａと、バッテリ６からの電力の出力の入り切りを切り換える電源スイッチ９ｂとを含んでいる。このような制御部９は、マッサージ器２とは異なる位置で、マッサージ器２の駆動停止を制御することができる。
【００３１】
図１に示されるように、連結手段７は、マッサージ器２を背もたれ部Ｃ１の使用者側に、バッテリ６を背もたれ部Ｃ１の使用者とは反対側に位置するように保持するのが望ましい。本実施形態の連結手段７は、マッサージ器２に着脱自在に取り付けられている。このため、マッサージ器２とバッテリ６との組み合わせは、任意に変更可能である。
【００３２】
このようなマッサージユニット１は、既存のマッサージ器２に連結手段７を連結して、当該マッサージ器２の使用する場所を任意に移動させることができる。また、本実施形態のマッサージユニット１は、バッテリ６を、他のバッテリ６に変更することで、マッサージ器２の長時間の使用を許容することもできる。
【００３３】
本実施形態の連結手段７は、バッテリカバー８に固着された帯状のベルト部１０と、マッサージ器２を取り付けるための取付部１１と、バッテリ６とマッサージ器２とを電気的に接続する電気ケーブル１４とを含んでいる。ベルト部１０と取付部１１とは、例えば、連結具１２により着脱自在に連結されている。このため、連結手段７は、マッサージ器２を容易に着脱することができる。
【００３４】
図４に示されるように、ベルト部１０は、例えば、シリコンゴムのような樹脂により帯状に形成されている。バッテリカバー８及びベルト部１０は、樹脂による一体成形品であるのが望ましい。このようなバッテリカバー８及びベルト部１０を含むマッサージ器用電力供給ユニット３は、バッテリカバー８とベルト部１０とが分離するおそれがないため、その取り扱い性が良好である。
【００３５】
図３及び図４に示されるように、本実施形態のベルト部１０の一方の端部１０ａは、バッテリカバー８に固着されており、他方の端部１０ｂは、係合部１０ｃが形成されている。係合部１０ｃは、第１係合部１０ｄと第２係合部１０ｅとを有するのが望ましい。第１係合部１０ｄは、例えば、凸部として形成される。第２係合部１０ｅは、例えば、凹部として形成される。このようなベルト部１０の他方の端部１０ｂは、第１係合部１０ｄと第２係合部１０ｅとが係合することで、連結具１２を保持することができる。
【００３６】
図１〜図３に示されるように、ベルト部１０は、少なくとも一方の面に滑り止め部１３を有するのが望ましい。滑り止め部１３は、例えば、小さい凸部として形成される。このような滑り止め部１３は、マッサージユニット１が椅子Ｃの背もたれ部Ｃ１に取り付けられたときに、マッサージ器２及びバッテリ６の重さにより背もたれ部Ｃ１との間に大きい摩擦力を生じさせ、マッサージ器２を任意の高さに保持することができる。
【００３７】
図１及び図４に示されるように、本実施形態のベルト部１０には、電気ケーブル１４が収容されている。本実施形態の電気ケーブル１４は、第１端１４ａがバッテリ６に接続されている。また、電気ケーブル１４の第２端１４ｂは、ベルト部１０のバッテリ６とは反対側の端部１０ｂで露出しているのが望ましい。このような電気ケーブル１４の第２端１４ｂは、マッサージ器２の接続口２ａとの接続が容易である。
【００３８】
図３に示されるように、ベルト部１０の長手方向の長さＬは、好ましくは、２００〜１０００mmである。ここで、ベルト部１０の長手方向の長さＬは、ベルト部１０の一方の端部１０ａから他方の端部１０ｂまでの長さである。
【００３９】
ベルト部１０の長手方向の長さＬが２００mmよりも小さいと、椅子Ｃ（図１に示す）の種類によっては、マッサージ器２とバッテリ６とが背もたれ部Ｃ１（図１に示す）に対して反対側に位置することができず、マッサージ器２の高さ方向の調整範囲が小さくなるおそれがある。また、ベルト部１０の長手方向の長さＬが１０００mmよりも大きいと、椅子Ｃの種類によっては、バッテリ６が床面に接触することにより、マッサージ器２の高さ方向の調整範囲が小さくなるおそれがある。
【００４０】
図２に示されるように、ベルト部１０の幅Ｗ１は、好ましくは、１０〜５０mmである。ベルト部１０の幅Ｗ１が１０mmよりも小さいと、ベルト部１０の耐久性が低下し、早期に破損するおそれがある。また、ベルト部１０の幅Ｗ１が５０mmよりも大きいと、ベルト部１０の屈曲性が低下し、椅子Ｃの背もたれ部Ｃ１（図１に示す）の形状に追従しないおそれがある。
【００４１】
図３に示されるように、ベルト部１０の厚さｔ１は、好ましくは、５mm以下である。ベルト部１０の厚さｔ１が５mmより大きい場合、ベルト部１０の屈曲性が低下し、椅子Ｃの背もたれ部Ｃ１（図１に示す）の形状に追従しないおそれがある。
【００４２】
本実施形態の取付部１１は、ベルト部１０のバッテリ６とは反対側の端部１０ｂに設けられている。取付部１１は、例えば、ナイロンのような樹脂により帯状に形成されている。本実施形態の取付部１１は、マッサージ器２にループ状に巻き回されるのが望ましい。このような取付部１１は、ベルト部１０とマッサージ器２との着脱を容易に行うことができる。
【００４３】
図２に示されるように、取付部１１の幅Ｗ２は、ベルト部１０の幅Ｗ１よりも小さいのが望ましい。このような取付部１１は、マッサージ器２を取り付けたときに、マッサージ器２の動作を阻害するおそれがない。
【００４４】
図３に示されるように、取付部１１の厚さｔ２は、ベルト部１０の厚さｔ１よりも小さいのが望ましい。このような取付部１１は、マッサージ器２を取り付けたときに、マッサージ器２との密着性が高く、マッサージ器２を確実に保持することができる。
【００４５】
連結具１２は、取付部１１の一方の端部１１ａに固着されるのが望ましい。連結具１２は、例えば、金属製である。このような連結具１２は、ベルト部１０との連結が容易であり、マッサージユニット１の取り扱い性を向上させ得る。
【００４６】
図５は、他の実施形態のマッサージユニット２０を示す斜視図である。上述のマッサージユニット１と共通する部分は、共通の符号が付され、又は、符号が省略され、その説明が省略される。図５に示されるように、この実施形態のマッサージユニット２０は、マッサージ器２と、マッサージ器用電力供給ユニット２１とを含んでいる。マッサージ器２は、上述のマッサージユニット１と同様、既存のマッサージ器２の中から任意のものが適宜採用され得る。
【００４７】
この実施形態のマッサージ器用電力供給ユニット２１は、マッサージ器２に電力を供給するためのバッテリ６と、マッサージ器２とバッテリ６とを連結するための連結手段２２とを含んでいる。バッテリ６は、上述のマッサージユニット１と同様、バッテリカバー８に固定されている。
【００４８】
この実施形態の連結手段２２は、バッテリカバー８に固着された帯状のベルト部２３を含んでいる。この実施形態のベルト部２３の一方の端部２３ａは、バッテリカバー８に固着されており、他方の端部２３ｂは、取付部２４を構成している。取付部２４は、マッサージ器２にループ状に巻き回されるのが望ましい。
【００４９】
他方の端部２３ｂには、例えば、係合部２３ｃが形成されており、係合部２３ｃを係合することで取付部２４を構成している。係合部２３ｃは、上述の実施形態の係合部１０ｃと同様に、凸部と凹部とからなる凹凸嵌合構造を有している。このような係合部２３ｃは、マッサージ器２を確実に保持することができる。このため、ベルト部２３は、取付部２４と一体的に形成され、連結具１２が不要であることから、その製造コストを低減することができる。
【００５０】
図６は、さらに他の実施形態のマッサージユニット３０を示す斜視図である。上述のマッサージユニット１及びマッサージユニット２０と共通する部分は、共通の符号が付され、又は、符号が省略され、その説明が省略される。図６に示されるように、この実施形態のマッサージユニット３０は、マッサージ器２と、マッサージ器用電力供給ユニット３１とを含んでいる。マッサージ器２は、上述のマッサージユニット１と同様、既存のマッサージ器２の中から任意のものが適宜採用され得る。
【００５１】
この実施形態のマッサージ器用電力供給ユニット３１は、マッサージ器２に電力を供給するためのバッテリ６と、マッサージ器２とバッテリ６とを連結するための連結手段３２とを含んでいる。この実施形態のバッテリ６は、バッテリカバー３５に固定されている。
【００５２】
バッテリカバー３５は、バッテリ６を固定し、かつ、保護するためのバッテリケース３５ａと、バッテリケース３５ａの周囲を覆う保護カバー３５ｂとを含むのが望ましい。バッテリケース３５ａは、例えば、硬質の樹脂により形成されている。保護カバー３５ｂは、例えば、シリコンゴムのような樹脂により形成されている。このようなバッテリカバー３５は、バッテリ６を適切に保護することができる。
【００５３】
この実施形態の連結手段３２は、バッテリカバー３５に固着された帯状のベルト部３３と、バッテリ６とマッサージ器２とを電気的に接続する電気ケーブル１４とを含んでいる。ベルト部３３の一方の端部３３ａは、バッテリカバー３５のバッテリケース３５ａに固着されており、他方の端部３３ｂは、取付部３４を構成するのが望ましい。取付部３４は、マッサージ器２にループ状に巻き回されるのが望ましい。このような取付部３４は、ベルト部３３とマッサージ器２との着脱を容易に行うことができる。
【００５４】
図７は、図６のマッサージ器用電力供給ユニット３１の斜視図である。図７に示されるように、ベルト部３３は、例えば、ナイロンのような樹脂により帯状に形成されている。この実施形態のベルト部３３の一方の端部３３ａは、バッテリケース３５ａに挿通された後、第１調節金具３６Ａに固定されることで、バッテリカバー３５に固着されている。このようなベルト部３３は、第１調節金具３６Ａの位置を変更することで、その長さを調節することができる。
【００５５】
この実施形態のベルト部３３のバッテリ６とは反対側の端部３３ｂは、ループ状に形成された後、第２調節金具３６Ｂに固定されることで、取付部３４を構成している。このような取付部３４は、第２調節金具３６Ｂの位置を変更することで、マッサージ器２（図６に示す）との密着性が高めることができ、マッサージ器２を確実に保持することができる。なお、第２調節金具３６Ｂは、ベルト部３３が挿通可能なリング（図示省略）であってもよい。
【００５６】
図６に示されるように、この実施形態の連結手段３２は、滑り止め部３７を有している。滑り止め部３７は、滑り止めパッド３７Ａとして形成されるのが望ましい。滑り止めパッド３７Ａは、例えば、摩擦力大きく滑りにくい生地で構成されている。滑り止めパッド３７Ａは、その内部にベルト部３３が挿通されている。このような滑り止め部３７は、椅子Ｃの背もたれ部Ｃ１（図１に示す）に取り付けられたときに、ベルト部３３の位置を固定することができ、マッサージ器２を任意の高さに保持することができる。
【００５７】
この実施形態の電気ケーブル１４は、上述のマッサージユニット１と同様、第１端１４ａがバッテリ６に接続され、かつ、第２端１４ｂが露出している。このような電気ケーブル１４の第２端１４ｂは、マッサージ器２の接続口２ａ（図１に示す）との接続が容易である。なお、電気ケーブル１４は、図示せぬ固着具により、ベルト部３３に固着してもよい。
【００５８】
以上、本考案の特に好ましい実施形態について詳述したが、本考案は図示の実施形態に限定されることなく、種々の態様に変形して実施し得る。
【符号の説明】
【００５９】
１  マッサージユニット
２  マッサージ器
６  バッテリ
７  連結手段
【図１】
0003212066.tif 000003
【図２】
0003212066.tif 000004
【図３】
0003212066.tif 000005
【図４】
0003212066.tif 000006
【図５】
0003212066.tif 000007
【図６】
0003212066.tif 000008
【図７】
0003212066.tif 000009